(57)【要約】  本発明は基地局の検索方法及び端末を提供し、端末が取得した基地局の情報に基づき、予め設置された基地局の選択条件を満たさない基地局を除き、基地局の選択条件を満たす基地局を検出するまで他の基地局を走査し続く。本発明による技術案によって、端末がそれぞれの基地局完全な基地局の情報に基づき検索する必要が無く、事前に端末がアクセスできない基地局を排除し、迅速且つ正確な基地局のアクセスを実現し、無線通信システムの走査、アクセスとスイッチングの性能を大いに改善し、通信と端末のオーバーヘッドを低下させる。【選択図】図２
2013503526.tif 000002
【特許請求の範囲】
【請求項１】
基地局の選択条件を予め設置する基地局の検索方法であって、
端末が取得した基地局の情報に基づき、予め設置された基地局の選択条件を満たさない基地局を除き、他の基地局を基地局の選択条件を満たす基地局を検出するまで走査し続くことをさらに含むことを特徴とする。
【請求項２】
前記基地局情報はセル識別子、及び/または基地局の識別子、及び/または基地局状態の指示情報を含むことを特徴とする請求項1に記載の基地局の検索方法。
【請求項３】
前記端末が取得した基地局の情報に基づき、予め設置された基地局の選択条件を満たさない基地局を除くことは、
前記端末がダウンリンク同期した後、取得した二次同期シーケンスに携帯しているセル識別子に基づき、セル識別子に含まれた基地局タイプは現在の基地局が専有型フェムト基地局であることを表示する場合に、自分に保存するホワイトリストに相応のセル識別子があるかどうかを調べ、無ければ、端末が該基地局を不適切な基地局として除き、他の基地局を走査し続くことであること特徴とする請求項2に記載の基地局の検索方法。
【請求項４】
前記ホワイトリストに相応のセル識別子があると、該方法は、
前記端末が基地局から発信した補助スーパーフレームのヘッダの第1のサブパッケージが携帯している基地局状態の指示情報を取得し、且つセルがアクセスを禁止するかどうかを判断し、基地局状態の指示情報にはセルがアクセスを禁止することを表示すると、端末が該基地局を不適切な基地局として除き、今回のセル検索を中止し、改めて他の基地局の走査過程を開始することをさらに含むことを特徴とする請求項3に記載の基地局の検索方法。
【請求項５】
前記端末は基地局から発信した補助スーパーフレームのヘッダの第1のサブパッケージが携帯している基地局状態の指示情報を取得した後に、前記基地局状態の指示情報にはセルがアクセスを許容することを表示すると、該方法は、
前記端末が補助スーパーフレームのヘッダの第1のサブパッケージにおける基地局の識別子の下位12ビットの情報を解読し、それが端末のホワイトリストに含まれるかどうかを判断し、含まれないと、端末が該基地局を不適切な基地局として除き、今回のセル検索を中止し、改めて他の基地局への走査過程を開始することをさらに含むことを特徴とする請求項4に記載の基地局の検索方法。
【請求項６】
基地局の識別子の下位12ビットの情報が端末のホワイトリストに含まれると、該方法は、
前記端末が補助スーパーフレームのヘッダの第2のサブパッケージが携帯している基地局の識別子の上位36ビットの情報を取得し、完全な基地局の識別子に基づき、現在のフェムト基地局は端末がアクセスできる専有型フェムト基地局であるかどうかを判断し、専有型フェムト基地局でなければ、端末が該基地局を不適切な基地局として除き、今回のセル検索を中止し、改めて他の基地局を走査する過程を開始し、専有型フェムト基地局であれば、端末が基地局の選択条件を満たす基地局を検出することがあって、該基地局を選択し、且つアクセス状態に入ることをさらに含むことを特徴とする請求項5に記載の基地局の検索方法。
【請求項７】
端末が取得した基地局の情報に基づき、基地局を選別する前に、該方法は、前記端末が自分に記憶するホワイトリストを更新することをさらに含み、
前記更新は、自己組織化ネットワークサーバーが専有型フェムト基地局に新しいセル識別子を割り当てる時に、自己組織化ネットワークサーバーがエアーインターフェース方法で新しいセルの識別子を影響された端末に発送し、前記端末が自分に記憶するホワイトリスト情報を更新することであることを特徴とする請求項3〜6のいずれかに記載の基地局の検索方法。
【請求項８】
前記基地局のタイプには現在の基地局が開放型フェムト基地局或いはマクロ基地局であることを表示し、且つ基地局状態の指示情報にはセルがアクセスを許容することを表示すると、前記端末が直接にアクセス過程を開始することを特徴とする請求項3に記載の基地局の検索方法。
【請求項９】
端末であって、設置モジュール、判断モジュール、アクセスモジュールを含み、設置モジュールに基地局の選択条件が予め設置されており、
判断モジュールは、基地局の情報を受信し、受信した基地局の情報及び設置モジュールにおける予め設置された基地局の選択条件に基づき、予め設置された基地局の選択条件を満たさない基地局を除き、他の基地局を走査し続くこと、予め設置された基地局の選択条件を満たすと、アクセスモジュールにアクセスの通知を送信することに用いられ、
アクセスモジュールは、判断モジュールからのアクセス通知を受信し、端末のアクセス過程を始めることに用いられることを特徴とする端末。
【請求項１０】
前記端末がアクセスする基地局はマクロ基地局、マイクロ基地局、ピコ基地局、フェムト基地局を含み、
前記フェムト基地局は開放型フェムト基地局と専有型フェムト基地局を含み、その中で、専有型フェムト基地局は部分専有型フェムト基地局と全部専有型フェムト基地局を含むことを特徴とする請求項9に記載の端末。
【発明の詳細な説明】
【技術分野】
【０００１】
本発明は無線通信システムにおける端末へのアクセス技術に関し、特に基地局の検索方法及び端末に関する。
【背景技術】
【０００２】
無線通信システムにおいて、基地局とは、端末にサービスを提供する機器を指し、基地局と端末との間には電磁波で無線通信を行う。基地局によって、無線通信システムが一定の地理的な範囲の端末に無線カバレッジを提供可能となって、この地理的な範囲はセルと呼ばれる。
【０００３】
通常、無線通信システムは広い範囲でユーザーに無線通信を提供できるように、サービスエリアが広い基地局を部署する必要となる。このような基地局は一般的にマクロ基地局(Macro BS、Macro Base Station)と呼ばれ、それが覆うセルは一般的にマクロセル（Macro Cell）と呼ばれる。同時に、無線通信システムはユーザーの異なるニーズと異なる使用環境を考え、何らかの環境或いは場合にユーザーにより上位品質の無線通信サービスを提供する必要があるので、サービスエリアが小さく、伝送パワーが低い基地局などが採用される。これらの小型基地局はマイクロ基地局（Micro BS）、ピコ基地局（Pico BS）及びフェムト基地局（Femto BS）(ホーム基地局又は個人基地局とも呼ばれる)を含む。
【０００４】
1つのマクロ基地局は最大限で周りの2-3キロメートルの領域を覆うことできるが、フェムト基地局のサービスエリアが30メートルを超えない。それらのサービスエリアに巨大な差があるので、マクロ基地局のサービスエリア内に大量（数百から千に至る）のフェムト基地局が部署される可能で、室内の通信サービス品質を改善するように、フェムト基地局に同時にアクセスできる最大なユーザー数が一般的に6個〜8個である。フェムト基地局は一般的に開放型と専有型という2種類に分けられ、その中、専有型フェムト基地局は部分専有型フェムト基地局と全部専有型フェムト基地局をさらに含む。その中、最大なユーザー数を超えない前提で、開放型フェムト基地局にいずれかのユーザーに対してアクセスでき、全部専有型フェムト基地局は専有のユーザーにしか開放しないが、部分専有型フェムト基地局は専有ユーザーへのサービス品質を保証できる前提で、他の非専有ユーザーへのアクセスを許容する。図1に示すように、図1は従来のマクロ基地局からなるフェムト基地局を含む無線通信システムの組成の構成模式図である。
【０００５】
マクロ基地局からなる１つの無線通信システムにおいて、端末がネットワークにアクセスし或いはネットワークに再アクセスする時に、適切な基地局を見つけてアクセスするように、付近の領域の基地局を走査することがある。マクロ基地局のサービスエリア内に大量のフェムト基地局が部署される場合に、フェムト基地局は、1)フェムト基地局のサービスエリアが小さい、2)フェムト基地局が密集する、3)端末がアクセスできない専有型フェムト基地局である可能性があるという3つの特徴を有し、本来の端末のアクセス過程が複雑になるため、このような環境下で、端末が基地局を探測し、或いは走査する時、できるだけオーバーヘッドを制御し、無用な走査を減少し、全体なスイッチングのオーバーヘッドを減少するようにする。
【０００６】
従来のシステムにおいて、端末が基地局を検索する時、まず、二次同期シーケンスを解析してセルのタイプを判断する必要となり、専有型フェムト基地局に対して、端末が従って補助スーパーフレームのヘッダにおける基地局の識別子（BS-ID）を解析して端末自分のホワイトリストに該BS-IDを含むかどうかを検査する必要もあって、該フェムト基地局にアクセスできるかどうかを決める。このような方法は、専有型フェムト基地局に対して、必ず全体な補助スーパーフレームのヘッダを解析した後、端末がアクセスできるかどうかを確定できるという問題がある。このように、専有型フェムト基地局が密集する場合に、従来端末が基地局を検索する走査方法は複数回繰り返す可能性があるので、走査の効率を下げ、全体なスイッチングのオーバーヘッドを増やすため、ネットワーク全体のアクセスのオーバーヘッドを増やす。
【０００７】
［発明内容］
このような事情に鑑み、本発明は端末が迅速且つ正確に基地局にアクセスすることを実現できる基地局の検索方法及び端末を提供することを主な目的とする。
【０００８】
本発明は迅速且つ正確な基地局のアクセスを実現でき、無線通信システムの走査、アクセスとスイッチングの性能を大いに改善し、ネットワーク全体のアクセスのオーバーヘッドを低下させる端末を提供することを他の目的とする。
【０００９】
前記の目的を達成するために、本発明の技術案が以下の通りである。
本発明は基地局の選択条件を予め設置する基地局の検索方法であって、
端末が取得した基地局の情報に基づき、予め設置された基地局の選択条件を満たさない基地局を除き、基地局の選択条件を満たす基地局を検出するまで他の基地局を走査し続くことをさらに含む。
【００１０】
前記方法において、前記基地局の情報はセルの識別子、及び/または基地局の識別子、及び/または基地局状態の指示情報を含む。
【００１１】
前記方法において、前記端末が取得した基地局の情報に基づき、予め設置された基地局の選択条件を満たさない基地局を除くことは、
前記端末はダウンリンク同期した後、取得した二次同期シーケンスには携帯しているセル識別子に基づき、セル識別子に含まれた基地局タイプには現在の基地局が専有型フェムト基地局であると表示する場合に、自分が記憶しておるホワイトリストに相応のセル識別子があるかどうか調べ、なければ、端末は該基地局を不適切な基地局として除き、他の基地局を走査し続くことである。
【００１２】
前記方法において、前記ホワイトリストに相応のセル識別子があると、該方法は、
前記端末が基地局から発信した補助スーパーフレームのヘッダの第1のサブパッケージが携帯している基地局状態の指示情報を取得してセルがアクセスを禁止するかどうかを判断し、基地局状態の指示情報にはセルがアクセスを禁止することを表示すると、端末が該基地局を不適切な基地局として除き、今回のセル検索を中止し、改めて他の基地局を走査する過程を開始することをさらに含む。
【００１３】
前記方法において、前記端末が基地局から発信した補助スーパーフレームのヘッダの第1のサブパッケージが携帯している基地局状態の指示情報を取得した後、前記基地局状態の指示情報にはセルがアクセスを許容することを表示すると、該方法は、
前記端末が補助スーパーフレームのヘッダの第1のサブパッケージにおける基地局の識別子の下位12ビットである情報を解読し、それが端末のホワイトリストに含まれるかどうかを判断し、含まれないと、端末が該基地局を不適切な基地局として除き、今回のセル検索を中止し、改めて他の基地局を走査する過程を開始することをさらに含む。
【００１４】
前記方法において、基地局の識別子の下位12ビットの情報が端末のホワイトリストに含まれると、該方法は、
前記端末が補助スーパーフレームのヘッダの第2のサブパッケージが携帯している基地局の識別子の上位36ビットの情報を取得し、完全な基地局の識別子に基づき、現在のフェムト基地局は端末がアクセスできる専有型フェムト基地局であるかどうかを判断し、専有型フェムト基地局ではないと、端末が該基地局を不適切な基地局として除き、今回のセル検索を中止し、改めて他の基地局を走査する過程を開始し、専有型フェムト基地局であると、端末が基地局の選択条件を満たす基地局を検出することがあって、該基地局を選択してアクセス状態に入ることをさらに含む。
【００１５】
前記方法において、該方法の前に、前記端末は自分に記憶したホワイトリストを更新することをさらに含み、具体的に、
自己組織化ネットワークサーバーは専有型フェムト基地局に新しいセル識別子を割り当てる時に、自己組織化ネットワークサーバーからエアーインターフェース方法によって、新しいセルの識別子を影響された端末に発送し、前記端末は自分に記憶したホワイトリストの情報を更新することである。
【００１６】
前記方法において、前記基地局のタイプには現在の基地局が開放型フェムト基地局或いはマクロ基地局であることを表示し、且つ基地局状態の指示情報にはセルがアクセスを許容することを表示すると、前記端末が直接にアクセス過程を始める。
【００１７】
設置モジュール、判断モジュール、アクセスモジュールを含む端末であって、設置モジュールに基地局の選択条件が予め設置されており、
判断モジュールは、基地局の情報を受信し、受信した基地局の情報及び設置モジュールにおける予め設置された基地局の選択条件に基づき、予め設置された基地局の選択条件を満たさない基地局を除き、他の基地局を走査し続くこと、予め設置された基地局の選択条件を満たすと、アクセスモジュールにアクセスの通知を送信することに用いられ、
アクセスモジュールは、判断モジュールからのアクセス通知を受信し、端末のアクセス過程を始めることに用いられる。
【００１８】
前記端末の中で、前記端末にアクセスする基地局はマクロ基地局、マイクロ基地局、ピコ基地局、フェムト基地局を含み、
前記フェムト基地局は開放型フェムト基地局と専有型フェムト基地局を含み、その中で、専有型フェムト基地局は部分専有型フェムト基地局と全部専有型フェムト基地局を含む。
【００１９】
上記本発明による提供された技術案によると、端末が取得された基地局の情報に基づき、予め設置された基地局の選択条件を満たさない基地局を除き、基地局の選択条件を満たす基地局にアクセスするまで他の基地局を走査し続きくことが明らかにする。本発明の方法は基地局の情報を取得する時間の前後に従って、ステップバイステップで端末がアクセスできない専有型フェムト基地局を排除し、つまり、早く取得した基站の情報が基地局の選択条件を満たさないと、直接に該基地局を不適切な基地局として除き、改めて他の基地局を走査する過程を開始し、再び遅く取得した基地局情報を判断しない。本発明による基地局を検索する方法は、端末がそれぞれの基地局の完全な基地局の情報に基づいて検索する必要が無く、事前に端末がアクセスできない基地局を排除し、迅速且つ正確な基地局アクセスを実現し、無線通信システムの走査、アクセスとスイッチングの性能を大いに改善し、通信と端末のオーバーヘッドを低下させる。
【図面の簡単な説明】
【００２０】
【図１】は従来のマクロ基地局からなるフェムト基地局を含有する無線通信システムの組成の構成模式図である。
【図２】は本発明における基地局の検索方法を実現するフロー模式図である。
【図３】は本発明における図2には端末が取得した基地局情報に基づき、基地局の選択条件を満たす基地局を検索する実施例のフロー模式図である。
【図４】は本発明における端末の組成の構成模式図である。
【図５】は本発明における基地局の情報を用いて、基地局を検索する第1実施例のフロー模式図である。
【図６】は本発明における基地局の情報を用いて、基地局を検索する第2実施例のフロー模式図である。
【図７】は本発明における基地局の情報を用いて、基地局を検索する第3実施例のフロー模式図である。
【図８】は本発明における基地局の情報を用いて、基地局を検索する第4実施例のフロー模式図である。
【図９】は本発明における基地局の情報を用いて、基地局を検索する第5実施例のフロー模式図である。
【図１０】は本発明における基地局の情報を用いて、基地局を検索する第6実施例のフロー模式図である。
【図１１】は本発明における端末は自分に記憶したホワイトリストを更新する実施例のフロー模式図。
【００２１】
［具体的な実施形態］
本発明の基本的な主旨は、基地局の選択条件を予め設置し、端末が取得した基地局の情報に基づき、予め設置された基地局の選択条件を満たさない基地局を除き、基地局の選択条件を満たす基地局を検出するまで、他の基地局を走査し続くことである。
【００２２】
図2は本発明における基地局の検索方法を実現するフロー模式図である。図2に示すように、該方法は以下のステップを含む。
【００２３】
ステップ200、基地局の選択条件を予め設置する。
このステップにおいて、基地局の選択条件が多く、システムの配置によって設置され、ここで、例を数個挙げるしかなく、本発明の請求範囲を制限するものではない。例えば、
セルがアクセスを禁止する基地局に対して、端末が該基地局を不適切な基地局として、今回のセル検索を中止し、改めて走査過程を開始し、或いは
セルがアクセスを許容する基地局に対して、且つ端末は該基地局がマクロ基地局或いはオープンネットワークタイプのフェムト基地局であることを探測すると、端末が直接にアクセス過程を開始し、或いは
セルがアクセスを許容する基地局に対して、端末は該基地局が専有型フェムト基地局であることを探測すると、端末が自分に維持したホワイトリストと取得した基地局情報に基づき、該基地局がそのアクセスできる専有型フェムト基地局である可能性があるかどうかを判断するなど。
【００２４】
ステップ201、端末が取得した基地局の情報に基づき、予め設置された基地局の選択条件を満たさない基地局を除き、基地局の選択条件を満たす基地局を検出するまで、他の基地局を走査し続く。
【００２５】
基地局情報はセルの識別子（Cell-ID）、及び/または基地局の識別子(BS-ID)、及び/または基地局状態の指示情報等を含むが、それに限られない。
【００２６】
このステップは取得した基地局情報に基づき、対応する基地局が予め設置された基地局の選択条件を満たすかどうかを判断し、具体的な実現は、
端末がダウンリンク同期時に、マスター同期シーケンスと二次同期シーケンスを取得することを含む。二次同期シーケンスが携帯しているCell-IDには基地局のタイプ及び/またはネットワークをアクセスするタイプの情報が含まれ、端末が該情報に基づき、予め設置された基地局の選択条件に従って、第1回の基地局の選別を行うことができ、
基地局のタイプには現在の基地局が専有型フェムト基地局であることを表示すると、端末が自分に記憶したホワイトリスト中で、相応のCell-IDを有するかどうかを調べ、無ければ、端末が該基地局を不適切な基地局として除き、他の基地局を走査し続き、ホワイトリスト中で相応のCell-IDを有すれば、第2回の基地局の選別に入り、
端末は従って基地局から発信したマスター補助スーパーフレームのヘッダ及び補助スーパーフレームのヘッダの第1のサブパッケージ或いは第2のサブパッケージを取得し、まず取得したのが補助スーパーフレームのヘッダの第1のサブパッケージであれば、端末が補助スーパーフレームのヘッダの第1のサブパッケージが携帯している基地局状態の指示情報に基づき、セルがアクセスを禁止するかどうか判断し、基地局状態の指示情報にはセルがアクセスを禁止することを表示すると、端末が該基地局を不適切な基地局として除き、本回のセルの検索を中止し、改めて他の基地局を走査する過程を開始し、
基地局状態の指示情報にはセルがアクセスを許容することを表示すると、第3回の基地局の選別に入り、
端末は自分が維持したホワイトリスト及び解読した補助スーパーフレームのヘッダの第1のサブパッケージにおけるBS-IDの下位12ビットの情報に基づき、それが端末のホワイトリストに含まれたかどうかを判断し、含まないと、端末が該基地局を不適切な基地局として除き、本回のセル検索を中止し、改めて他の基地局を走査する過程を開始し、含まれると、端末が第4回の基地局の選別に入り、
端末が更に補助スーパーフレームのヘッダの第2のサブパッケージに携帯しているBS-IDの上位36ビットの情報を取得し、完全なBS-ID(48ビットの情報)に基づき、現在のフェムト基地局は端末がアクセスできる専有型フェムト基地局であるかどうかを判断し、専有型フェムト基地局でなければ、端末が該基地局を不適切な基地局として除き、本回のセル検索を中止し、改めて他の基地局を走査する過程を開始し、専有型フェムト基地局であれば、端末が基地局の選択条件を満たす基地局を検出することがあって、端末が該基地局を選択し、アクセス状態に入る。
【００２７】
説明する必要なのは、基地局情報を取得する時間の前後によると、セルのタイプ及びCell-IDの情報が一番早く取得され、基地局状態の指示情報及びBS-IDの下位12ビットの情報とBS-IDの上位36ビットの情報の取得時間の前後は不確実であることである。通常に、補助スーパーフレームのヘッダの第2のサブパッケージの送信周期が第1のサブパッケージより長いので、一般的に、補助スーパーフレームのヘッダからの第1のサブパッケージの基地局状態の指示情報及びBS-IDの下位12ビットの情報を先に取得し、その後、補助スーパーフレームのヘッダの第2のサブパッケージのBS-ID上位36ビットの情報を取得する。本発明において、第1のサブパッケージと第2のサブパッケージの取得順序について制限しない。
【００２８】
本発明におけるステップ201の方法は、基地局のタイプには現在の基地局が開放型基地局或いはマクロ基地局で、且つ基地局状態の指示情報にはセルがアクセスを許容することを表示すると、直接にアクセス過程を開始することをさらに含む。
【００２９】
ステップ201の実現によると、本発明における方法は基地局情報の取得時間の前後に基づき、ステップバイステップで端末がアクセスできない専有型フェムト基地局を排除し、つまり、早く取得した基地局の情報が基地局の選択条件を満たさないと、直接に該基地局を不適切な基地局として除き、改めて他の基地局を走査する過程を開始し、再び遅く取得した基地局情報を判断しない。本発明における基地局を検索する方法は、端末がそれぞれの基地局の完全な基地局の情報に基づいて検索する必要が無く、事前に端末がアクセスできない基地局を排除しており、迅速且つ正確な基地局のアクセスを達成し、無線通信システムの走査、アクセスとスイッチング性能を大いに改善し、通信と端末のオーバーヘッドを低下させる。
【００３０】
本発明における方法の前に、
端末が予めのオンライン或いはオフラインに授権して認定され、何らかの専有型フェムト基地局をアクセスできるように配置される可能性があることと、端末が１つのアクセスできる専有型フェムト基地局のホワイトリストを維持し、上記ホワイトリストには専有型フェムト基地局のBS-ID及び/または上記基地局が属するセルのCell-ID情報を含むことと、
端末が基地局を検索してネットワークのアクセス或いはネットワークへの再アクセスを行う時、まず端末がすべての支持する周波数帯域を周波数掃引を行い、一番強い周波数点を選択し、次に、本発明におけるステップ200〜ステップ201がかかるダウンリンク同期過程を始めることをさらに含む。
【００３１】
図3は本発明における図2に端末が取得した基地局情報に基づき、基地局の選択条件を満たす基地局をアクセスする実施例を実現するフロー模式図であり、図3に示すように、該実施例が以下通りのステップを含む。
【００３２】
ステップ300〜ステップ301、同期シーケンスを走査し、端末が目標基地局と物理層の同期を完成する。
【００３３】
ステップ302、端末が選択する傾向がある基地局のタイプと現在に走査している基地局のタイプは一致するかどうかを判断し、一致すると、ステップ303に入り、一致しないと、ステップ300〜ステップ301へ戻す。
【００３４】
端末には、端末がアクセスする基地局のタイプを表示するための優先等級リストを予め記憶しており、基地局の優先等級が高ければ高いほど、端末がアクセスする傾向があると表す。セルの識別子の範囲は現在に走査している基地局のタイプを表示する。
【００３５】
ステップ303、マスタースーパーフレームのヘッダ及び補助スーパーフレームのヘッダの第1のサブパッケージを取得する。
【００３６】
ステップ304、第1のサブパッケージ中のセルの禁止情報ビットが0であるかどうかを判断し、0であると、ステップ305に入り、0ではないと、ステップ300〜ステップ301へ戻す。ここで、仮にセル禁止情報ビットが0である場合を禁止しなく、セル禁止情報ビットが1である場合を禁止することを表示する。
【００３７】
ステップ305、補助スーパーフレームのヘッダの他のサブパッケージを取得して更に分析する。第3回と第4回の基地局の選別を含み、ここで説明しない。
【００３８】
ステップ306、目標基地局との同期を完成する。
【００３９】
上記方法を実現するために、本発明は端末をさらに提供し、図4は本発明における端末の組成の構成模式図であり、図4に示すように、本発明における端末は主に設置モジュール、判断モジュール及びアクセスモジュールを含み、その中で、設置モジュールには基地局の選択条件が予め設置されており、
判断モジュールは、基地局の情報を受信し、受信した基地局の情報及び設置モジュールには予め設置された基地局の選択条件に基づき、予め設置された基地局の選択条件を満たさない基地局を除き、他の基地局を走査し続くこと、予め設置された基地局の選択条件を満たすと、アクセスモジュールにアクセスの通知を送信することに用いられ、
アクセスモジュールは、判断モジュールからのアクセス通知を受信し、端末のアクセス過程を始めることに用いられる。
【００４０】
上記基地局はマクロ基地局、マイクロ基地局、ピコ基地局、フェムト基地局を含み、上記フェムト基地局は開放型フェムト基地局と専有型フェムト基地局を含み、その中で、専有型フェムト基地局は部分専有型フェムト基地局と全部専有型フェムト基地局を含む。
以下で、実施例を参照して、WiMAX通信ネットワークを例として、本発明における方法を詳細に説明する。
【００４１】
図5は本発明における基地局の情報を用いて、基地局を検索する第1実施例のフロー模式図であり、第1実施例において、端末が基地局を走査する過程で、仮に二次同期シーケンスに基づき、現在基地局のタイプが専有型フェムト基地局であることを発見し、この時、端末がホワイトリストに対応の二次同期シーケンス中から取得したCell-IDが存在するかどうかを調べ、該Cell-IDが存在すると、次に、端末のアクセスを影響する他の基地局情報に基づいて検索して判断し、そうではないと、端末が該基地局を不適切な基地局として除き、他の基地局を走査し続く。図5に示すように、該実施例が以下通りのステップを含む。
【００４２】
ステップ500、端末が同期シーケンスを検出してCell-IDの情報を取得する。
【００４３】
ステップ501、端末がホワイトリストに相応するCell-IDがあるかどうかを検査し、見つけると、ステップ502に入り、見つけないと、端末が該基地局を不適切な基地局として除き、他の基地局を走査し続く。
【００４４】
ステップ502、端末がアクセスを影響する他の基地局情報を検出する。
【００４５】
図6は本発明における基地局の情報を用いて、基地局を検索する第2実施例のフロー模式図であり、第2実施例において、端末が基地局を走査する過程で、仮に基地局状態の指示情報を取得し、基地局状態の指示情報に基づき、セルが禁止に設置されるかどうかを判断し、禁止であれば、この時、基地局が端末のアクセスを望まないことを表し、端末が該基地局を不適切な基地局として除き、他の基地局を走査し続き、禁止ではないと、端末が端末のアクセスを影響する他の基地局情報を検出し続く。図6に示すように、該実施例が以下の通りのステップを含む。
【００４６】
ステップ600、端末が補助スーパーフレームのヘッダの第1のサブパッケージを検出して基地局状態の指示情報を取得する。
【００４７】
ステップ601、端末はセルの禁止情報ビットが禁止であるかどうかを判断し，禁止である該セル禁止情報ビットが1となると、端末が該基地局を不適切な基地局として除き、他の基地局を走査し続く。禁止ではないと、ステップ602に入る。
【００４８】
ステップ602、端末が端末のアクセスを影響する他の基地局の情報を検出する。
【００４９】
図7は本発明における基地局の情報を用いて、基地局を検索する第3実施例のフロー模式図であり、第3実施例において、端末が基地局を走査する過程で、仮に二次同期シーケンスに基づき、現在の基地局のタイプが専有型フェムト基地局であると発見し、次に、端末がマスタースーパーフレームのヘッダ及び補助スーパーフレームのヘッダ中のBS-IDを検出する。先に検出されたのが補助スーパーフレームのヘッダの第1のサブパッケージであれば、端末がBS-IDの下位12ビットの情報を取得できる。端末がホワイトリストを調べ、同じなBS-IDの下位12ビットの情報を含むかどうかを判断し、このようなBS-IDが存在すると、端末が端末のアクセスを影響する他の基地局情報を検出し続き、存在しないと、端末が該基地局を不適切な基地局として除き、他の基地局を走査し続く。図7に示すように、該実施例が以下通りのステップを含む。
【００５０】
ステップ700、端末が補助スーパーフレームのヘッダの第1のサブパッケージを検出してBS-IDの下位12ビットの情報を取得する。
【００５１】
ステップ701、端末がホワイトリストに該BS-IDの下位12ビットの情報が存在するかどうかを検査し、存在すると、ステップ702に入り、存在しないと、端末が該基地局を不適切な基地局として除き、他の基地局を走査し続く。
【００５２】
ステップ702、端末が端末のアクセスを影響する他の基地局の情報を検出する。
【００５３】
図8は本発明における基地局の情報を用いて、基地局を検索する第4実施例のフロー模式図であり、第4実施例において、端末が基地局を走査する過程で、仮に二次同期シーケンスに基づき、現在の基地局のタイプが専有型フェムト基地局であると発見し、次に、端末がマスタースーパーフレームのヘッダ及び補助スーパーフレームのヘッダにおけるBS-IDを検出し始める。仮に先に検出されたのは補助スーパーフレームのヘッダの第2のサブパッケージであれば、端末がBS-IDの上位36ビットの情報を取得できる。端末はホワイトリストに取得したBS-IDと同じなBS-IDの上位36ビットの情報が存在するかどうかを調べ、存在すると、端末は端末のアクセスを影響する他の基地局の情報を検出し続き、存在しないと、端末が該基地局を不適切な基地局として除き、他の基地局を走査し続く
【００５４】
図8に示すように、該実施例が以下通りのステップを含む。
【００５５】
ステップ800、端末が補助スーパーフレームのヘッダの第2のサブパッケージにおけるBS-IDの上位36ビットの情報を検出する。
【００５６】
ステップ801、端末がホワイトリストに同じなBS-IDの上位36ビットの情報を有するかどうかを調べ、見つけると、ステップ802に入り、見つけないと、端末が該基地局を不適切な基地局として除き、他の基地局を走査し続く。
【００５７】
ステップ802、端末が端末のアクセスを影響する他の基地局の情報を検出し続く。
【００５８】
図9は本発明における基地局の情報を用いて、基地局を検索する第5実施例のフロー模式図であり、第5実施例において、端末が基地局を走査する過程で、仮に基地局のタイプが専有型フェムト基地局で、且つ補助スーパーフレームのヘッダの第1のサブパッケージにおけるBS-IDの下位12ビットの情報が先に検出され、次に、また第2のサブパッケージにおけるBS-IDの上位36ビットの情報を取得し、つまり、端末は完全な48ビットのBS-IDを取得する。端末はホワイトリストに合わせる（取得した完全な48ビットのBS-IDと同じである）48ビットのBS-IDが存在するかどうかを調べ、存在すると、アクセス過程に入り、存在しないと、端末が該基地局を不適切な基地局として除き、他の基地局を走査し続く。完全なBS-IDを採用して判断することは好ましい実施例であり、正確に、間違いなく、端末が本当にアクセスできる専有型フェムト基地局を見つかる。図9に示すように、該実施例は以下通りのステップを含む。
【００５９】
ステップ900、端末が補助スーパーフレームのヘッダの第1のサブパッケージと第2のサブパッケージを検出することによって、完全な48位ビットのBS-ID情報を取得する。
【００６０】
ステップ901、端末はホワイトリストに合わせる完全な48ビットのBS-ID情報があるかどうかを調べ、見つけると、ステップ902に入り、見つけないと、端末が該基地局を不適切な基地局として除き、他の基地局を走査し続く。
【００６１】
ステップ902、端末はアクセス状態に入り、現在の基地局にアクセスする。
【００６２】
図10は本発明における基地局の情報を用いて、基地局を検索する第6実施例のフロー模式図であり、図10に示すように、該実施例が以下通りのステップを含む。
【００６３】
ステップ1000、端末が基地局を検索してネットワークのアクセス或いはネットワークの再アクセスを行う時に、まず端末はすべての支持する周波数帯域に周波数掃引を行い、1番強い周波数点を選択し、走査及びダウンリンク同期を行う。
【００６４】
ステップ1001〜ステップ1002、二次同期シーケンス中のCell-IDを検出して現在に走査している基地局のタイプを判断する。
【００６５】
このステップにおいて、現在に走査していた基地局タイプがマクロ基地局であることを判断すると、ステップ1003に入り、現在に走査していた基地局タイプが開放型フェムト基地局であることを判断すると、ステップ1004に入り、現在に走査した基地局タイプが専有型フェムト基地局であることを判断すると、ステップ1005に入る。
【００６６】
ステップ1003、端末が専有型フェムト基地局を選択する傾向があるかどうかを判断し、あると、ステップ1000へ戻し、走査し続き、ないと、ステップ1006に入る。
【００６７】
ステップ1004、端末が専有型フェムト基地局を選択する傾向があるかどうかを判断し、あると、ステップ1000へ戻し、走査し続き、ないと、ステップ1006に入る。
【００６８】
ステップ1005、端末が専有型フェムト基地局にアクセスできるかどうか、且つホワイトリストに相応のCell-IDを見つかることを判断し、できると、ステップ1006に入り、できないと、ステップ1000へ戻し、走査し続く。
【００６９】
ステップ1006、マスタースーパーフレームのヘッダを走査する。
【００７０】
ステップ1007〜ステップ1008、補助スーパーフレームのヘッダの第1のサブパッケージにおけるセル禁止情報ビットを検出し、本実施例において、セルの禁止情報ビットが1であると、禁止すると表し、ステップ1000へ戻し、セル禁止情報ビットが0であると、許容すると表し、ステップ1009に入る。
【００７１】
ステップ1009、現在に走査していた基地局はマクロ基地局或いは開放型フェムト基地局であると、ステップ1010に入り、現在に走査していた基地局が専用型フェムト基地局であると、ステップ1011に入る。
【００７２】
ステップ1010、端末が基地局の選択条件を満たす基地局を検出することがあって、端末が該基地局を選択してアクセス状態に入り、このフローを終了する。後に、基地局が不適切で基地局の走査が必要となると発見する際に、ステップ1000へ戻す。
【００７３】
ステップ1011、補助スーパーフレームのヘッダの第1のサブパッケージを検出し、BS-IDの下位12ビットを解析する。
【００７４】
ステップ1012、端末のホワイトリストに対応のBS-IDの下位12ビットを見つかるかどうかを判断し、見つからないと、ステップ1000へ戻し、走査し続き、見つかると、ステップ1013に入る。
【００７５】
ステップ1013〜ステップ1014、補助スーパーフレームのヘッダの第2のサブパッケージを検出し、BS-IDの上位36ビットを解析する。端末のホワイトリストに合わせる48ビットのBS-IDを見つかるかどうかを判断し、見つかると、ステップ1015に入り、見つからないと、ステップ1000へ戻し、走査し続く。
【００７６】
ステップ1015、端末は基地局の選択条件を満たす基地局を検出し、端末が該基地局を選択してアクセス状態に入る。該基地局が後続のアクセス過程で不適切であると、ステップ1000へ戻して走査し続くことができる。
【００７７】
図11は本発明における端末が自分に保存するホワイトリストを更新する実施例のフロー模式図であり、図9に示すように、該実施例は以下とおりのステップを含む。
【００７８】
ステップ1100、端末が専有型フェムト基地局に加入し、或いは専有型フェムト基地局から離れることを要求する。
【００７９】
端末は主動的に専有型フェムト基地局に加入し、或いは専有型フェムト基地局から離れることを要求することができる。
【００８０】
ステップ1101、専有型フェムト基地局が要求の処理決定のメッセージを端末に発信する。
【００８１】
専有型フェムト基地局に授権して認定された後、専有型フェムト基地局はメッセージの方式で端末にその処理決定を知らせる。
【００８２】
ステップ1102、端末は処理決定のメッセージを受信して自分のホワイトリストを更新する。
【００８３】
処理決定に基づき、専有型フェムト基地局が端末の加入を同意すると、端末は自分に保存するホワイトリストに1つの記録を追加し、該専有型フェムト基地局のBS-ID及び選択できるCell-ID情報を含み、相応的に、専有型フェムト基地局が端末の離れ、サービスを再び受けないのを同意すると、端末はホワイトリストに該専有型フェムト基地局に関わる情報を削除する。
【００８４】
端末のホワイトリストには必ずBS-ID情報を含み、Cell-IDがオプションに属し、基地局の検索スピードを向上するために、ホワイトリストにCell-ID情報が含まれるものは好ましい実施例である。
【００８５】
また、専有型フェムト基地局のCell-ID情報は端末により自己組織化ネットワーク（SON）のサーバーによって取得できる。衝突を防止するために、隣接するフェムト基地局のセルは一般的に異なるCell-IDを割り当てる。フェムト基地局のセルの位相は一般的にあまり変化しないので、SONサーバーが長時間に専有基地局のCell-IDを維持できる。SONサーバーは専有型フェムト基地局に１つの新しいCell-IDを割り当てる必要があると、無線インターフェース（OTA）方法によって、影響された端末に相応のホワイトリストの情報を更新するように知らせる。
【００８６】
また、専有型フェムト基地局は主動的な配置によって端末を自分のサービスグループに加入でき、或いは削除でき、且つ端末に知らせ、端末が相応的に自分に保存するホワイトリスト情報を更新する。専有型フェムト基地局がユーザーに他の場所につれて使用される場合に、新しいCell-IDを配る可能性があり、このような改めて配置された場合に対して、SONサーバーがOTA方法で、新しいCell-IDを影響された端末に送信し、相応的にホワイトリストを更新させばよい。
【００８７】
以上のように、本発明の好ましい実施例しかなく、本発明の請求範囲を制限するものではなく、本発明の主旨と原則内の修正、同等取替と改善などはいずれも本発明の請求範囲内に含まれる。
【図１】
2013503526.tif 000003
【図２】
2013503526.tif 000004
【図３】
2013503526.tif 000005
【図４】
2013503526.tif 000006
【図５】
2013503526.tif 000007
【図６】
2013503526.tif 000008
【図７】
2013503526.tif 000009
【図８】
2013503526.tif 000010
【図９】
2013503526.tif 000011
【図１０】
2013503526.tif 000012
【図１１】
2013503526.tif 000013
【国際調査報告】
2013503526.tif 000014
2013503526.tif 000015
2013503526.tif 000016
2013503526.tif 000017